(57)【特許請求の範囲】
【請求項１】
床面に複数枚の床化粧材本体を敷設して床を構成する床化粧材において、
前記床の外周縁部に配置される床化粧材本体は、厚さ方向に穿孔された多数の開口部を有し、
前記開口部は、開口面積が前記床化粧材本体の上面から下面にかけて漸次縮小する逆円錐台形状に形成され、前記床化粧材本体の上面と下面とで異なる開口率を有するテーパー状の断面形状とされて、
前記床化粧材本体は、上面側よりも、床面に接地する下面側ほど重量を有する断面構造であることを特徴とする床化粧材。
【請求項２】
前記床化粧材本体は、四周側面に重量物からなる枠組フレームを備えることを特徴とする請求項１に記載の床化粧材。
【発明の詳細な説明】
【技術分野】
【０００１】
本発明は、ベランダやバルコニー、屋上等の床面に敷設して使用する床化粧材に関する。
【背景技術】
【０００２】
ベランダやバルコニー、屋上等に床材を敷設してデッキを形成する技術には、従来、係止溝を備えた固定基板を根太上に複数個ねじ止めするとともに、バルコニー等の寸法に合わせて切断した長尺のデッキ材の裏面側の突条を固定基板の係止溝に圧入嵌合するなどの構造が提案されていた。
【０００３】
これに対し、近年では、例えば特許文献１に記載されているように、コンクリート等のスラブ上に床材を敷設して床面を覆う構成の床化粧材として、硬質合成樹脂材料を矩形状に成形した部材で、裏面側とスラブ面との間に排水空間を形成するための複数本の脚が一体形成されてなる床化粧材が提案されており、上面に合成樹脂またはタイル等の表面材を接着固定または一体成形した構造のユニット式床化粧材も実用化されている。
【０００４】
このようなユニット式床化粧材は、バルコニーやベランダ等の屋外に敷設した場合、床化粧材の下面側（裏面側）に風が吹き込むと、敷設した床化粧材の全体が捲れ上がってしまうことがあった。そこで、このような捲れ上がりを解消するために、例えば特許文献２に記載されているように、タイルユニットを敷設して床面を形成する際に、その床面周囲の少なくとも一部に透水性開口を有する合成樹脂製フロアマットを敷設して風の影響を軽減するという、タイルユニットの敷設構造も提案されている。
【０００５】
前記従来の床化粧材の敷設構造は、立ち上がり壁で囲まれたバルコニー等の床面に、表面材がタイル等の比較的重い床化粧材を敷設する場合にはある程度有効な手法となる。しかし、立ち上がり壁ではなく、手すりだけが設けられたバルコニーに、このような床化粧材を敷設した場合には、手すりを通り抜けた風が床化粧材の下面側に入り込んで床化粧材の全体が捲れ上がるという吹き上がり現象を起こしてしまうおそれがあった。また、このような問題は、高さがそれほどないパラペットが配設された屋上などに床化粧材を敷設する場合にも発生する可能性があった。
【０００６】
また、かかる床化粧材の敷設作業にあたっては、専門の施工業者が作業をする場合もあるが、住宅等の小規模の建物においては専門の施工業者ではなく個人で敷設作業をする場合も考えられるため、その施工性の良さや、メンテナンス、掃除の際の床化粧材の取り外し作業のしやすさ等も配慮する必要があった。
【０００７】
そこで、このような問題点を解消するために、特許文献３に記載されたような床化粧材も提案されている。この床化粧材は、図７に示すように、縦断面形が略コ字形の横長の床部材１０１を床化粧材１００の端部に嵌め込んで、床化粧材１００の下面に風が吹き込むのを防止するようになっている。また、床部材１０１には、下部に排水孔１０２が設けられており、床化粧材１００の下部に流入した雨水等を排水孔１０２から排出できるようになっている。
【特許文献１】実開平５−８５９２９号公報
【特許文献２】実開平７−１０１９１号公報
【特許文献３】特開平１０−１１５０７４号公報
【発明の開示】
【発明が解決しようとする課題】
【０００８】
しかし、前記床化粧材１００は、床部材１０１に設けられた排水孔１０２の開口率や風の強さによっては、この排水孔１０２からも風が浸入しやすくなるおそれがあった。
【０００９】
そこで、風の影響が強い場所では、床化粧材の下面側に風が入り込むおそれのあるこのような孔（開口）を床化粧材の側面にできるだけ設けず、なおかつその床化粧材が受ける風の影響を最小限に抑えて捲れ上がるのを防ぐことが求められていた。
【００１０】
また、床化粧材の敷設作業にあたっては、専門の施工業者が作業をする場合もあるが、住宅等の小規模の建物においては専門の施工業者ではなく個人で敷設作業をする場合も考えられるため、その施工性のよさや、メンテナンスあるいは掃除の際の床化粧材の取り外し作業のしやすさ等も配慮する必要があった。
【００１１】
そこで本発明は、上記のような問題点にかんがみてなされたものであり、バルコニーやベランダ等の床面をユニット式の床化粧材を敷設して形成するにあたり、床化粧材が受ける風の影響を最小限に抑えて捲れ上がるのを防ぎ、安全性、施工性および意匠性のいずれにも優れた床化粧材を提供することを目的としている。
【課題を解決するための手段】
【００１２】
前記の課題を達成するため、本発明は、床面に複数枚の床化粧材本体を敷設して床を構成する床化粧材において、前記床の外周縁部に配置される床化粧材本体は、厚さ方向に穿孔された多数の開口部を有し、前記開口部は、開口面積が前記床化粧材本体の上面から下面にかけて漸次縮小する逆円錐台形状に形成され、前記床化粧材本体の上面と下面とで異なる開口率を有するテーパー状の断面形状とされて、前記床化粧材本体は、上面側よりも、床面に接地する下面側ほど重量を有する断面構造であることを特徴としている。
【００１５】
このように構成されることにより、床化粧材は、床面に接地される下面ほど重量を有して低重心で形成され、床面に敷設したとき高い安定性を有するものとなる。したがって、風圧力を受けても浮力を生じて捲れ上がったり浮き上がったりすることがなく、床の外周縁部に配設されると、床化粧材の風の影響を軽減することが可能となる。
【００１８】
さらに、前記構成の床化粧材において、前記床化粧材本体は、四周側面に重量物からなる枠組フレームが設けられてもよい。
【００１９】
このような構成により、床化粧材は、床面に接地される下面ほど重量を有して低重心で形成され、床化粧材を敷設した床面を安定的に保持することが可能になるとともに、最小限の部材でもって風による吹き上がり現象を抑えることが可能になる。
【００２１】
これにより、構成された床の外周縁部に遮断部材が連続的に配設されて、床を取り囲むことができ、風が吹き付けても床の側面が塞がれているので、側面から風が吹き込むのを防止できる。また、床の下部空間に風が流入しても、床化粧材の重量により浮き上がるのを防止して、長期間にわたって安定した床化粧材の敷設構造を維持することができる。
【発明の効果】
【００２２】
上述のように構成される本発明の床化粧材およびその敷設構造によれば、床化粧材を敷設することによって形成した床における風の影響を最小限に抑えて、床化粧材が捲れ上がったり浮き上がったりするのを防ぎ、床化粧材を安定的に保持することが可能となって、耐久性、安全性および意匠性のいずれにも優れたものとすることができる。
【発明を実施するための最良の形態】
【００２３】
以下、本発明に係る床化粧材およびその敷設構造を実施するための最良の形態について説明する。
【００２４】
本発明において、床化粧材１は住宅のベランダ、バルコニー、テラス、あるいは屋上スラブなどのように、屋外に設けられている床面３に敷設して床２を構成するのに用いられるものである。この床化粧材１は、構成される床２における風の影響による吹き上がり現象を効果的に抑制するために用いられる。
【００２５】
このため、床化粧材１の床化粧材本体１０は、上面側よりも、床面に接地する下面ほど重量を有する断面構造で形成されている。かかる構成の床化粧材１には多数のバリエーションがあるが、そのうちのいくつかについて以下の実施例で示す。
【実施例１】
【００２６】
本発明に係る床化粧材１の実施例１について図面を参照しつつ説明する。
【００２７】
図１は本発明に係る床化粧材１の一形態を示す斜視図、図２は床化粧材１の断面図、図３は床化粧材１の参考例を示す斜視図、図４は本発明に係る床化粧材１の敷設構造を示す平面図である。
【００２８】
床化粧材１は床化粧材本体１０を有し、厚さ方向に穿孔された多数の開口部１１…１１を備えて形成されている。これらの各開口部１１の開口面積は、床化粧材本体１０の上面１０ａから下面１０ｂにかけて漸次縮小するように形成されて、床化粧材本体１０の上面１０ａと下面１０ｂとで異なる開口率を有するものとなっている。
【００２９】
例示の形態では、各開口部１１は先細りの逆円錐台形状に形成されており、図２に示すような断面を有している。すなわち、床化粧材本体１０の開口部１１…１１は、それぞれ断面形状がテーパー状に形成されている。また、図３に示すように、断面形状がテーパー状であって、先細りの逆角錘台形状に形成されていてもよい。床化粧材本体１０の開口部１１…１１を除く部分は、中実かつ密実に形成されている。床化粧材本体１０には、成形容易性、耐久性等を備えた材料であればどのような材料を用いることもでき、例えばステンレスあるいはスチール等の金属系材料、合成樹脂系材料、合成樹脂成形品と金属もしくは合成樹脂成形品と無機質系材料とを一体成形したものなどを用いるのが好ましい。
【００３０】
このような開口部１１…１１の配列は、図示するように幅方向に３個、長手方向に９列で形成されているが、本発明においては開口部１１の個数および配列形態は特に限定されず、マトリックス状であってもランダムに配列されていてもよい。ただし、開口部１１…１１による床化粧材本体１０の開口率は、下面１０ｂよりも上面１０ａの方が高く、例えば下面１０ｂにおける開口率が３０％以下で設定されるのに対して、上面１０ａにおける開口率は４０％以上となるように開口部１１が形成されることが望ましい。
【００３１】
この上面１０ａの開口率は、高ければ高いほど耐風性能を向上させることが可能となるが、上面１０ａがそのまま外観意匠を構成するので、意匠性を考慮すれば５０〜６０％程度までの間で設定されることが好ましい。また、上面１０ａは人が歩行する歩行面の一部を構成するが、前記の開口率であれば、歩行のしやすさを妨げることがなく、良好な歩行面を形成することが可能である。
【００３２】
このような構成の床化粧材１は、図４に示すように、床面３に複数枚の床化粧材１、９を敷きつめて床２を構成するにあたり、床２の外周縁部に配置される敷設構造をとることが好ましい。
【００３３】
この場合、外周縁部を床化粧材１で取り囲み、側部からの風の流出入を遮ることが可能となる。この床２において、その内側に配設される床化粧材９は、硬質合成樹脂を矩形状に成形した床材や、その上面に化粧面材を一体的に形成したものを用いることができる。
【００３４】
例えば、床化粧材９は、床化粧材１と同等の高さ（厚さ）を有し、合成樹脂製の３０ｃｍ角の基材の上面に表面化粧材を一体にした部材で形成され、表面化粧材については、合成樹脂材による約１０ｃｍ角の連続模様で基材と一体に成形されたり、基材の上面に木質化粧材、レンガ、磁器タイル等の表面材を接着したりして形成されるなど、どのような形態のものであってもよい。また、これらの床化粧材１、９は互いに適宜の雌雄連結部を備えて隣接する床化粧材１同士あるいは床化粧材９同士、または床化粧材１と床化粧材９とが互いに連結されて一体的に敷設されてもよいし、これらを連結させずに敷設してもよい。
【００３５】
このような敷設構造において、床２の外周縁部に配置された床化粧材１…１は、その重量および形状により、床２を床面３に安定的に固定する作用をなす。すなわち、床面３との間に空間部を有する床化粧材９は、風の影響で浮力を受けやすいが、その周囲に床化粧材１が配設されているので、床化粧材９に作用するこのような外力に抵抗することが可能となる。また、床化粧材９の外周縁が床化粧材１で覆われて囲まれているので、側面方向から吹き付ける風を遮断して、床２の内側へ入り込ませないようにすることができ、風の影響を軽減させることができる。
【００３６】
加えて、前記のように、床化粧材１には上面１０ａから下面１０ｂにかけて漸次縮小する開口部１１…１１が設けられているので、床化粧材１が低重心で構成され、非常に安定性の高いものとなっている。したがって、この床化粧材１が床２の外周縁部を取り囲むように連続的に配列されていることで、風が床２の側部から下部空間に入るのを防ぐとともに、床２に浮力を生じさせることがなく、床２の捲れ上がりを効果的に防止することができるようになっている。
【００３７】
また、上記構成に加えて床化粧材本体１０に、重量物からなる矩形の枠組フレーム１２が四周側面に設けられていてもよい。この場合、図５に示すように、枠組フレーム１２は、床化粧材本体１０の上面１０ａと面一となる大きさで形成されており、四周側面を取り囲むように添設されている。枠組フレーム１２は、適度な重量を有することでより風の影響をより一層軽減することが可能となるので、構成する重量物としては、例えばステンレス、スチール等の金属系材料や、また合成樹脂成形品と金属あるいは合成樹脂成形品と無機質系材料とを一体成形したものを用いてもよい。
【００３８】
上記いずれの形態の床化粧材１であっても、前記のような敷設構造により床２の外周縁部が床化粧材１で塞がれることになるので、風が吹き付けても床２の側部から風が吹き込むことがなくなる。また、床２の下部空間に風が流入しても、床化粧材１における風耐力が有効に作用して、床２の捲れ上がりを防止することができる。また、形成された床２は、床化粧材１および床化粧材９ともに、同等の高さレベルで形成されているので、フラットな歩行面を形成することができ、安全性の高い床２を構成することができる。なお、床２の配置形態は、例示したように長方形状でなくとも、配設される床面３の形状に合わせて適宜の形態が選択されるものである。
【実施例２】
【００３９】
次に、本発明に係る床化粧材の参考例について図面を参照しつつ説明する。図６は本発明の参考例に係る床化粧材を示す斜視図である。
【００４０】
なお、以下に説明する参考例に係る床化粧材１は、前記実施例１と同様の敷設構造に用いるものであり、床化粧材本体１０の構成に特徴を有するものであるので、この特徴的構成について詳細に説明し、他の部分については上記実施例１と共通の符号を用いて説明を省略する。
【００４１】
この形態の床化粧材１も、床化粧材本体１０が、上面１０ａ側よりも、床面に接地する下面１０ｂ側ほど重量を有する断面構造で形成されている。すなわち、床化粧材１は、重量の異なる複層構造で形成されており、床化粧材本体１０の上面１０ａと下面１０ｂとで異なる開口率を有するものとなっている。
【００４２】
例示の形態では、床化粧材本体１０は、上層１３、中層１４、および下層１５の三層構造となっている。このうち、下層１５は、金属製あるいは開口率の低い合成樹脂製のブロック体からなる。下層１５には、例えば、ステンレス、スチール等の金属系材料や、また合成樹脂成形品と金属あるいは合成樹脂成形品と無機質系材料とをブロック状に一体成形したものを用いることができる。また、無機質系材料からなるブロック体（無機質ブロック体）、あるいは無機質系材料からなる充填材（無機質充填材）をセメントや石膏または合成樹脂に練り混ぜて固めた複合成形体であってもよい。
【００４３】
上層１３は、格子状あるいはクロスメッシュ状に形成された板状部材が配設され、多数の開口部１１を有して高い開口率を有するように構成されている。上層１３の材質は特に限定されないが、プラスチック、ゴム、ＦＲＰ等の合成樹脂系材料により形成された比較的軽量で耐候性を有するグレーチング材などが好ましい。
【００４４】
さらに、これらの下層１５と上層１３との間には、複数本の柱部材１４１…１４１が配設されて中層１４をなし、下層１５は上層１３よりも低い開口率を形成している。柱部材１４１の形状は、図示するように円柱状とされるほか角柱状でもよく、また断面中空の円筒あるいは角筒形状や、円錐台形状あるいは角錘台形状であってもよい。配設される柱部材１４１…１４１の本数は、例示する３個×９列であるほか、所望の開口率に合わせて適宜選択される。
【００４５】
このような三層構造を有する床化粧材１は、重量物からなる矩形の枠組フレーム１２が四周側面あるいは風上面のみに設けられてもよい。このように、下層１５の方が重量を有するので低重心で形成されており、安定した敷設状態を維持できるようになっている。
【００４６】
したがって、かかる床化粧材１を、図４に例示したような敷設構造に用いることにより、床化粧材１が床２の外周縁部を取り囲むように連続的に配列されて、側部が枠組フレーム１２で塞がれた構造となるので、風が床２の側部から下部空間に入るのを防ぐとともに、その重量で床２に浮力を生じさせることがなく、床２の捲れ上がりを効果的に防止することができるようになっている。また、床化粧材１の上層１３は開口を有するものの格子状部材で形成されているので、歩行しやすく、意匠性も良好であって、好ましい外観を呈するものとなる。
【００４７】
また、本発明の床化粧材１は、床下の排水性を良好にするために、例えば四隅に足を設けて、床面３との間に２〜５ｍｍ程度の隙間を設けるような構造としてもよい。
【産業上の利用可能性】
【００４８】
本発明は、住宅等の建物におけるバルコニーやベランダ等の風の影響を受けやすい床面に敷設して好適に使用することができる。
【図面の簡単な説明】
【００４９】
【図１】本発明に係る実施例１の床化粧材の一例を示す斜視図である。
【図２】実施例１の床化粧材の断面図である。
【図３】床化粧材の参考例を示す斜視図である。
【図４】本発明に係る床化粧材１の敷設構造を示す平面図である。
【図５】実施例１の床化粧材のさらに変形例を示す斜視図である。
【図６】参考例に係る床化粧材の一例を示す斜視図である。
【図７】従来例の床化粧材を示す斜視図である。
【符号の説明】
【００５０】
１      床化粧材
１０    床化粧材本体
１１    開口部
１２    枠組フレーム
１３    上層
１４    中層
１４１  柱部材
１５    下層
２      床
３      床面
【図１】
0005243736.tif 000002
【図２】
0005243736.tif 000003
【図３】
0005243736.tif 000004
【図４】
0005243736.tif 000005
【図５】
0005243736.tif 000006
【図６】
0005243736.tif 000007
【図７】
0005243736.tif 000008